(57)【要約】【課題】高圧電位治療で体内に流れ込んだ電位を局所的に放電するに際し、第三者に長時間に亘り手伝ってもらう必要が無いとともに被治療者にも負担をかけず、更に、被治療者に痛み等を感じさせることもない電極パッドを提供すること。【解決手段】導電性の電極基材２と、該電極基材２の表裏面にそれぞれ備えた１又は複数枚の絶縁性シート材３と、該絶縁性シート材３を備えた前記電極基材２を全面的に被覆した絶縁性の被覆シート４と、該被覆シート４の表面に装着したゲルシート５と、該ゲルシート５の上面に貼着した保護シート６と、を具備しており、これにより、電極基材２に流れ込んだ高圧の電位が空中に放電されてしまうことを防止できるとともに、絶縁性シート材３の枚数を変えることで電極基材２へ流れる電位量を調節することもでき、高圧電位の局所的な放電によって被治療者が皮膚に痛みを感じることを防止することができる。【選択図】図１
2007185369.tif 000002
【特許請求の範囲】
【請求項１】
高圧電位治療器を用いた高圧電位治療において、被治療者の体内に流れ込んだ高圧の電位を局所的に放電させるために用いる電極パッドであり、
導電性の電極基材（２）と、
該電極基材（２）の表裏面にそれぞれ備えた１又は複数枚の絶縁性シート材（３）と、
該絶縁性シート材（３）を表裏面に備えた前記電極基材（２）を全面的に被覆した絶縁性の被覆シート（４）と、
該被覆シート（４）の表面に装着したゲルシート（５）と、を具備したことを特徴とする高圧電位治療用電極パッド。
【請求項２】
高圧電位治療器を用いた高圧電位治療において、被治療者の体内に流れ込んだ高圧電位を局所的に放電させるために用いる電極パッドであり、
導電性の電極基材（２）と、
該電極基材（２）の表裏面にそれぞれ備えた１又は複数枚の絶縁性シート材（３）と、
該絶縁性シート材（３）を表裏面に備えた前記電極基材（２）を全面的に被覆した絶縁性の被覆シート（４）と、
該被覆シート（４）の表面に装着したゲルシート（５）と、
該ゲルシート（５）の上面に貼着した保護シート（６）と、を具備したことを特徴とする高圧電位治療用電極パッド。
【発明の詳細な説明】
【技術分野】
【０００１】
本発明は、高圧電位治療器を用いた電位治療に際して、被治療者に流れ込んだ高圧電位を局所的に放電するために用いる高圧電位治療用の電極パッドに係り、より詳しくは、被治療者に痛み等を感じさせること無く、高圧電位治療により被治療者に流れ込んだ高圧電位を放電可能にした高圧電位治療用の電極パッドに関する。
【背景技術】
【０００２】
従来から、頭痛、肩こり、不眠等を治療するための装置として、血液循環をよくして体質改善に効果を有する高圧電位治療器が用いられている。
【０００３】
即ち、高圧電位治療器とは、被治療者の身体に高圧の電位を加える装置であり、この高圧電位治療器を用いて治療を行うことにより、被治療者は、血液循環が良くなり体質が改善され、頭痛、肩こり、不眠等を無くすることができるものである。
【０００４】
ここで、図３は、この高圧電位治療器を説明するための図であり、図において３１は被治療者に加える高圧の電位を生成するための治療器本体である。そして、この治療器本体３１には通電マット３２が接続されており、この通電マット３２を介して、前記治療器本体３１で生成した高圧の電位を被治療者に加え、これにより高圧電位治療を行うことを可能にしている。
【０００５】
そして、この高圧電位治療器を用いて電位治療を行う場合には、例えば図３に示すように、前記通電マット３２を椅子等の上に敷き、その後に、被治療者はこの通電マット３２上に座るとともに、治療器本体３１の電源を入れる。そうすると、通電マット３２を介して被治療者の身体に高圧の電位が流れ込み、これにより電位治療を行うことが可能となる。
【０００６】
ここで、図３において３３は絶縁マットであり、また３８は椅子等の脚部の下端に備えた絶縁材であり、即ち、前記高圧電位治療器３１を用いて電位治療を行う場合には、被治療者の安全等のために、被治療者は絶縁マット３３等の絶縁手段を用いることが必要であり、これにより、被治療者の身体に流れ込んだ高圧の電位は、被治療者の体全体から放電されることになる。
【０００７】
このように、高圧電位治療器では一般的に、被治療者の身体に流れ込んだ高圧の電位が被治療者の体全体から放電されることになり、局所的に放電することができないため、特に痛み等の激しい個所を集中的に治療することは困難である。
【０００８】
そのため、このような問題点を解決する手段として、図４に示すような、絶縁性の柄３５と、この柄３５に連結された支持部材３６と、この支持部材３６に回動自在に設置された導電性のローラー部３７とにより構成される放電具３４が提供されている。
【０００９】
即ち、この放電具３４では、電位治療を行っている被治療者における痛み等の激しい個所、例えば膝、肩、肘等にローラー部３７を当てるとともに、前記所望する個所の近辺で、柄３５をわずかに前後に動かしながらローラー３７を回転させる。そうすると、治療器より身体に流れ込んだ電位はローラー部３７を介して空中に放電して、ローラー３７を充てている個所に電位が集中し、これにより、当該個所における血液がイオン化されるとともに、交流の振動によって筋肉の緊張がほぐれて血の流れが良くなり、所望する個所を集中的に治療することが可能となる。
【００１０】
しかしながら、このような放電具３４では、柄３５を持ちながらローラー３７を回転させなければならず、放電具３４の重さ等も影響して、治療時間が長時間に亘った場合には疲れてしまうことがあるため、被治療者において使用を躊躇することがあった。また、背中等の手の届かない個所を集中的に治療したい場合などは、電位治療を行っている間、第三者に手伝ってもらう必要があるため、被治療者一人では有効に電位治療を行うことができない場合もあった。
【００１１】
そこで、本出願人は過去において、第三者に長時間に亘り手伝ってもらう必要が無いとともに被治療者にも負担をかけずに、体内に流れ込んだ高圧の電位を局所的に放電可能とした高圧電位治療器用局部放電装置を提案した。
【００１２】
即ち、この高圧電位治療器用局部放電装置は、電位治療を行っている被治療者の身体に装着される電極を備えており、この電極は放電装置本体に接続されるとともに、放電装置本体内には、発光手段、ブザー等を備えており、被治療者の身体における所望する個所に電極を装着することで、この電極を介して、高圧電位治療によって被治療者の身体に流れ込んだ電位を放電装置本体に流して、放電装置本体内の発光手段を発光させ及びブザー等を作動させて放電可能としており、これにより、第三者に長時間に亘り手伝ってもらうことなく、体内に流れ込んだ高圧の電位を局所的に放電可能としている。
【特許文献１】特開２００１−１７８８３２号公報
【発明の開示】
【発明が解決しようとする課題】
【００１３】
ところで、一般的に電極は、リード線が接続される導電性の電極基材と、適宜この基材に備えたゲル等により構成されているが、このような電極を用いて体内に流れ込んだ高圧の電位を局所的に放電する場合には、被治療者は皮膚に痛みを感じることがある。
【００１４】
即ち、高圧電位治療では、直流では最高１４，０００Ｖ、交流では最高９，０００Ｖの電位が体内に流れるが、このような高圧の電位が体内から放電する場合には、例えば９，０００Ｖの電位が空中に放電されると電位が９ｍｍ飛ぶと言われているために、単にリード線が接続された電極基材を用いて局所的な放電を行った場合には、体内に流れ込んだ高圧の電位は、電極部分から集中的に空中に放電されてしまい、それにより皮膚に強い痛みを感じるのが一般的である。
【００１５】
そこで、本発明は、高圧電位治療によって体内に流れ込んだ電位を局所的に放電するに際して、被治療者に痛み等を感じさせることがない電極パッドを提供することを課題としている。
【課題を解決するための手段】
【００１６】
本発明の高圧電位治療用電極パットは、高圧電位治療器を用いた電位治療において、被治療者の体内に流れ込んだ高圧電流を局所的に放電させるために用いる電極パッドであり、
導電性の電極基材と、該電極基材の表裏面にそれぞれ備えた１又は複数枚の絶縁性シート材と、該絶縁性シート材を備えた前記電極基材を全面的に被覆した絶縁性の被覆シートと、該被覆シートの表面に装着したゲルシートと、を具備したことを特徴としている。
【００１７】
また、本発明の高圧電位治療用電極パットは、高圧電位治療器を用いた高圧電位治療において、被治療者の体内に流れ込んだ高圧電位を局所的に放電させるために用いる電極パッドであり、
導電性の電極基材と、該電極基材の表裏面にそれぞれ備えた１又は複数枚の絶縁性シート材と、該絶縁性シート材を備えた前記電極基材を全面的に被覆した絶縁性の被覆シートと、該被覆シートの表面に装着したゲルシートと、該ゲルシートの上面に貼着した保護シートと、を具備したことを特徴としている。
【発明の効果】
【００１８】
本発明の高圧電位治療用電極パットでは、体内に流れ込んだ高圧の電位を放電装置側に導くための電極基材の表裏面に１又は複数枚の絶縁性シート材を備えており、更に、絶縁性シート材を備えた電極基材の全面を絶縁性の被覆材により被覆し、これにより、導電性の電極基材を外部から完全にシールしている。そのため、電極基材に流れ込んだ高圧の電位が空中に放電されることがなく、被治療者が皮膚に痛みを感じることを有効に防止できる。
【００１９】
また、このとき、電極基材の表裏面に備えた絶縁性シート材の枚数を調整することにより、電極基材に流れる高圧の電位の放電量を調節することができ、これによっても、高圧の電位が放電するときに被治療者の痛みを無くすることが可能である。
【発明を実施するための最良の形態】
【００２０】
本発明の高圧電位治療用電極パットでは、リード線等を介して放電装置本体に接続される導電性の電極基材を有しており、この電極基材としては、例えばカーボンペーパー等が用いられる。
【００２１】
また、この電極基材の表裏面には、例えばナイロンターポリン等による絶縁シートが重ねられており、この絶縁シートは複数枚としている。
【００２２】
そして、絶縁シートを表裏面に重ね合わせた状態の電極は、その全面を、塩化ビニール等によりなる絶縁性の被覆シートにより被覆されており、これにより電極基材は外部から完全にシールされている。
【００２３】
また、前記絶縁性の被覆シートの表面には導電性のゲルシートが貼着されており、このゲルシート側を被治療者の皮膚に貼着することで、高圧電位治療により被治療者の体内に流れ込んだ高圧電位を、ゲルシート、電極基材を介して、放電装置本体側に放電可能としている。
【００２４】
ここで、ゲルシートの上面に保護シートを貼着するとよく、これによって、使用していない際に、この保護シートによりゲルシートを保護することが可能となる。
【実施例１】
【００２５】
本発明の高圧電位治療用電極パット（以下単に「電極パッド」という。）の実施例について図面を参照して説明すると、図１は、本実施例の電極パッドの構造を示す断面図であり、また、図２は本実施例の電極パッドの底面図である。
【００２６】
そして、図において１が本実施例の電極パッドであり、本実施例における電極パッド１は、平面視野で５０ｍｍ平方寸法の正方形状としている。
【００２７】
また、図１において２は電極基材であり、即ち、本実施例の電極パッド１では電極基材２を有しており、本実施例においてこの電極基材２は、厚さ０．１ｍｍのカーボンペーパー製としており、平面視野で略正方形状としている。但し、必ずしもカーボンペーパーを用いる必要はなく、導電製素材であればいずれを用いてもよい。また、形状は特に限定されず、必ずしも平面視野で四角形状にする必要もない。
【００２８】
なお、図において２０１はリード線であり、このリード線２０１は、前記電極基材２に接続されるとともに、その先端部には、放電装置本体に接続可能なプラグ２０２が備えられている。
【００２９】
次に、前記電極基材２の表裏面には絶縁性シート材が重ね合わされている。即ち、図において３が絶縁性シート材であり、本実施例においてこの絶縁性シート材３は、厚さを０．３ｍｍとしたナイロンターポリンを使用しており、この絶縁性シート３を、前記電極基材２の表裏面のそれぞれに３枚積層している。そして、これにより、被治療者の体内から前記電極基材３へ流れ込む電位量を調節している。
【００３０】
次に、図において４は絶縁性の被覆シートである。即ち、本実施例の電極パッド１では、その表裏面に絶縁性シート材３を積層した状態の電極基材２を絶縁性の被覆シート４により被覆している。
【００３１】
そして、その被覆に際しては、電極基材２及び絶縁性シート材３を外部から完全にシール可能なように、全面を被覆している。そして、これにより、電極基材２に流れ込んだ高圧の電位がリード線２０１のみを介して放電されるようにしている。
【００３２】
なお、本実施例において前記絶縁性の被覆シート４としては、厚さを０．５ｍｍにするとともに平面視野における外形寸法を５０ｍｍ四方とした塩化ビニールを用いるとともに、前記電極基材２及び絶縁性シート材３はその外形寸法を５０ｍｍ四方より小さくしており、これによって、絶縁性の被覆シート４によって前記電極基材２のシールを可能にしている。
【００３３】
次に、前記絶縁性の被覆シート４の上面には、導電性のゲルシート５を貼着しており、これにより、本実施例の電極パッド１の被治療者への装着を容易にするとともに、被治療者の負担等を軽減している。
【００３４】
即ち、本実施例の電極パッド１では、絶縁性の被覆シート４の上面に導電性のゲルシート５を貼着しているため、このゲルシート５側を被治療者の皮膚に付けることのみで、ゲルの粘着力で電極パッド１を被治療者の皮膚に貼着することが可能である。
【００３５】
なお、図において６は保護シートであり、即ち、本実施例の電極パッド１では、ゲルシート５における露出面に塩化ビニール製の保護シート６を着脱自在に貼着しており、これにより、ゲルシート５の汚れ、損傷等を防止している。
【００３６】
次に、このように構成される本実施例の電極パッド１の作用について説明すると、本実施例の電極パッド１は、高圧電位治療器を用いて高圧電位治療を行うに際して、リード線２０１及びプラグ２０２を介して、例えば、前述の高圧電位治療器用局部放電装置（特開２００１−１７８８３２号参照）の装置本体に接続して用いる。
【００３７】
即ち、高圧電位治療に際して、放電装置に接続した本実施例の電極パッド１を、ゲル保護シート６を剥がした後に、ゲルシート５が皮膚側になるような配置で、特に痛み等が激しい箇所に貼着する。
【００３８】
そうすると、高圧電位治療によって体内に流れ込んだ高圧の電位は、ゲルシート５を介して電極基材２に流れ込むとともに、リード線２０１を介して放電装置本体に流れ、これにより、高圧電位治療によって体内に流れ込んだ高圧の電位を局所的に放電させることが可能となる。
【００３９】
そしてそのとき、本実施例の電極パッド１では、絶縁性の被覆シート４により電極基材２を完全に外部からシールしているとともに、電極基材２の表裏面には３枚の絶縁性シート材３を積層しているため、電極基材２に流れ込んだ高圧の電位が空中に放電されてしまうことを防止できるとともに、絶縁性シート材３の枚数を変えることで電極基材２へ流れる電位量を調節することもでき、これによって、高圧電位の放電によって被治療者が皮膚に痛みを感じることを防止することが可能である。
【産業上の利用可能性】
【００４０】
本発明では、高圧電位治療によって被治療者の体内に流れ込んだ高圧の電位を局所的に放電するに際して、被治療者が皮膚に痛みを感じることを防止可能としているため、体内に帯電した高圧電位の放電の全般に適用可能である。
【図面の簡単な説明】
【００４１】
【図１】本発明の本発明の高圧電位治療用電極パットの実施例の構造を示す断面図である。
【図２】本発明の本発明の高圧電位治療用電極パットの実施例の底面図である。
【図３】高圧電位治療器の使用方法を説明するための図である。
【図４】従来から用いられている放電具を説明するための図である。
【符号の説明】
【００４２】
１    電極パッド
２    電極基材
２０１    リード線
２０２    接続用プラグ
３    絶縁性シート材
４    絶縁性被覆シート
５    ゲルシート
６    保護シート
【図１】
2007185369.tif 000003
【図２】
2007185369.tif 000004
【図３】
2007185369.tif 000005
【図４】
2007185369.tif 000006